(57)【要約】【課題】作業性の高いプリント基板の取り付け構造を提供すること。【解決手段】ボス部１０を突設させた基体２上に、該ボス部１０に対向する部分に開口５を設けたプリント基板３を載置し、該プリント基板３上に基板保持部材２０を載置し、該基板保持部材２０の外側からねじ４を螺挿して、基板保持部材２０と共に、プリント基板３を基体２に取り付けるプリント基板の取り付け構造において、前記ボス部１０の先端１２ａ、１２ｂと、前記基板保持部材２０の底部に形成された凹部の天面２４ａ、２４ｂとが嵌合し、該嵌合によって、ねじ４の螺挿時の、基板保持部材２０の共回りが係止されると共に、凸部２１によってその嵌合方向が視認できるため、作業性の高いプリント基板の取り付け構造が可能となる。【選択図】  図４
2004214329.tif 000002
【特許請求の範囲】
【請求項１】
ボス部を突設させた基体上に、該ボス部に対向する部分に開口を設けたプリント基板を載置し、
該プリント基板上に基板保持部材を載置し、
該基板保持部材の外側からねじを螺挿して、基板保持部材と共に前記プリント基板を前記基体に取り付けるプリント基板の取り付け構造において、
前記ねじの螺挿時に、前記基板保持部材の共回りが係止されるように、前記基板保持部材の底部のうち、前記プリント基板の開口を介して前記ボス部の先端と対向する部分が、前記ボス部の先端と嵌合するように構成されていることを特徴とするプリント基板の取り付け構造。
【請求項２】
前記ボス部の先端は、第１の端面と、該第１の端面よりも一段低く形成された第２の端面とを備え、
前記第１の端面および第２の端面は、前記プリント基板の開口から突出し、
前記基板保持部材の底部のうち、前記ボス部の先端と嵌合する部分は、前記突出部分を収容する凹部であって、前記第１の端面と略同一の形状をなす第１の天面と、前記第１の端面と第２の端面との段差と略同寸の段差をもって前記第１の天面よりも浅く形成され、前記第２の端面と略同一の形状をなす第２の天面とを備えていることを特徴とする請求項１に記載のプリント基板の取り付け構造。
【請求項３】
前記基板保持部材は、その表面に、前記ボス部の先端と嵌合可能な方向を示す印を備えていることを特徴とする請求項１または２に記載のプリント基板の取り付け構造。
【発明の詳細な説明】
【０００１】
【発明の属する技術分野】
本発明は、ねじによって基体上にプリント基板を取り付ける構造に関する。
【０００２】
【従来の技術】
図５（ａ）に示すように、たとえば合成樹脂で形成された基体１０１にプリント基板１０３を取り付けるには、上記基体１０１に、図示しないねじ孔を有するボス部１０２を突設し、プリント基板１０３には、そのボス部１０２と対向する部分に、ねじが挿通する、図示しない貫通孔を設けて、基体１０１上にプリント基板を載置し、プリント基板１０３の外側から、ねじ１０４を上記ボス部１０２のねじ孔に螺挿して締結するといった構造が多く用いられている。
【０００３】
上述したような取り付け構造において、図５（ｂ）に示すように、プリント基板１０７上に一定の高さを有する基板保持部材１０９を配して、その外側からねじ１０８を螺挿し、基体１０５と基板保持部材１０９とでプリント基板１０７を挟むような態様で、プリント基板１０７を基体１０５に取り付ける場合も存在する。
【０００４】
このような基板保持部材は、たとえば、装置を構成する他の部品の組み付け等にもねじを使用しており、そのねじがプリント基板の基体への取り付けにそのまま使用するには長過ぎる場合に、そのねじを標準のねじとして、プリント基板の基体への取り付けにも使用するために、ねじが螺挿される長さを調整するオフセットの役割を果たすものである。これによって、装置の組み立て作業において、複数種類のねじの使用を避け、作業効率を高めると共に部品管理コストを低減化することができる。
【０００５】
ここで、上記基板保持部材を使用する場合には、ねじの螺挿時の回転に伴う基板保持部材の共回りを阻止することが、作業効率の上からも、また、配線パターンが基板保持部材の下またはその付近に存在する場合には、その保護の上からも、望ましい。従来、ねじ等の回転に伴う、他の部材の共回りを阻止する機構として、ストッパによる係止が提案されている（たとえば、特許文献１参照）。特許文献１には、図６に示すように、基体であるブラケット２０１へ突片２０２を取り付ける際に、ボルト２０３のねじ込みによる突片２０２自体の共回りを阻止するために、ブラケット２０１上にストッパ部２０４を突設することが記載されている。
【０００６】
【特許文献１】
特開２００２−２６４７５９号公報
【０００７】
【発明が解決しようとする課題】
しかしながら、プリント基板上には、種々の電子部品が実装されると共に、配線パターンが形成されているため、特許文献１に記載されているストッパのような構造体をその上に設けることは困難であり、上記基板保持部材の共廻り防止には、プリント基板の取り付けに適合した方策が必要である。
【０００８】
上記課題に鑑みて、本発明は、ねじによって基板保持部材と共にプリント基板を基体に取り付けるプリント基板の取り付け構造において、作業性を向上させるプリント基板の取り付け構造を提供することを目的とする。
【０００９】
【課題を解決するための手段】
上記目的を達成するために、請求項１に記載のプリント基板の取り付け構造は、  ボス部を突設させた基体上に、該ボス部に対向する部分に開口を設けたプリント基板を載置し、該プリント基板上に基板保持部材を載置し、該基板保持部材の外側からねじを螺挿して、基板保持部材と共に前記プリント基板を前記基体に取り付けるプリント基板の取り付け構造において、前記ねじの螺挿時に、前記基板保持部材の共回りが係止されるように、前記基板保持部材の底部のうち、前記プリント基板の開口を介して前記ボス部の先端と対向する部分が、前記ボス部の先端と嵌合するように構成されていることを特徴とする。
【００１０】
また、請求項２に記載のプリント基板の取り付け構造は、請求項１に記載のプリント基板の取り付け構造において、前記ボス部の先端は、第１の端面と、該第１の端面よりも一段低く形成された第２の端面とを備え、前記第１の端面および第２の端面は、前記プリント基板の開口から突出し、前記基板保持部材の底部のうち、前記ボス部の先端と嵌合する部分は、前記突出部分を収容する凹部であって、前記第１の端面と略同一の形状をなす第１の天面と、前記第１の端面と第２の端面との段差と略同寸の段差をもって前記第１の天面よりも浅く形成され、前記第２の端面と略同一の形状をなす第２の天面とを備えていることを特徴とする。
【００１１】
また、請求項３に記載のプリント基板の取り付け構造は、請求項１または請求項２に記載のプリント基板の取り付け構造において、前記基板保持部材は、その表面に、前記ボス部の先端と嵌合可能な方向を示す印を備えていることを特徴とする。
【００１２】
【発明の実施の形態】
本発明の一実施形態を、パチンコ機におけるサイド飾り部材をその例として、図面に基づいて説明する。図１は、サイド飾り部材１の要部を裏面より見た分解斜視図である。サイド飾り部材１には、パチンコ機における遊技に興趣を与えるため、図示しない電飾装置が取り付けられており、本実施形態は、その制御等のための電子回路を実装したプリント基板３の基体２への取り付けを、本発明に係るプリント基板の取り付け構造をもって実施するものである。なお、プリント基板３において、電子部品および配線パターンは、図１の正面側に実装されているものとし、図示は省略する。
【００１３】
図１において、本発明に係る基体２には、本発明に係るボス部１０が突設されており、その先端は、後述する段差を有する構造を備えている。また、基体２には、ボス部１０よりも低く形成されたリブ１１が、プリント基板３の外周に概ね沿うように、垂設されている。本発明に係るプリント基板３は、各ボス部１０に対向する部分に開口５が形成されて、基体２上に載置されるものであるが、本実施形態では、開口５の孔径は、対向するボス部１０の外径よりも僅かに大きく設定され、プリント基板３は、ボス部１０の先端を開口５から突出させるようにして、リブ１１上に載置されるものである。本発明に係るプリント基板の取り付け構造は、プリント基板３の各開口５上に、本発明に係る基板保持部材２０を載置して、その外側からねじ４を螺挿し、基板保持部材２０と基体２（本実施形態では、基体２上に突設されたリブ１１）とでプリント基板３を挟み込むようにして、プリント基板３を基体２に取り付けるものである。この際、基板保持部材２０の底部には、後述する、上記ボス部１０の先端の段差に嵌合する段差をもって形成された凹部が備えられ、ねじ４の螺挿時の回転に伴う基板保持部材２０の共回りが係止されるものである。
【００１４】
図２に、ボス部１０の斜視図を示す。ボス部１０は、略円柱状に形成され、その先端部１２は、半円状をなす第１の端面１２ａと、第１の端面１２ａよりも一段低く形成された、半円状の第２の端面１２ｂから形成されている。また、先端部１２の中心には、基体２に対して垂直方向に、ねじ孔１３が穿設されている。このねじ孔１３は、先端部１２においては、上記第１の端面１２ａと第２の端面１２ｂに跨って形成されるものである。また、ボス部１０の周囲には、後述する所定の寸法でもって上記先端部１２より低く形成されたリブ１１が垂設されている。
【００１５】
図３に、基板保持部材２０の斜視図を示す。図３（ａ）は、基板保持部材２０をその表面から見た斜視図、図３（ｂ）は、基板保持部材２０をその裏面から見た斜視図であり、図３（ａ）と図３（ｂ）は、その上下方向を固定して表裏を反転させた位置関係を有するものである。図３（ａ）および図３（ｂ）に示すように、基板保持部材２０は、略円柱状の形状をなし、その中心には表裏を貫通するねじ孔２３が穿設されている。図３（ｂ）に示すように、基板保持部材２０の裏面２５には、その外形をなす円と同心の円形開口をもって凹部２４が形成されており、この凹部の天面は、半円状をなす第１の天面２４ａと、第１の天面２４ａよりも一段浅く形成された、半円状の第２の天面２４ｂから成る。上述したねじ孔２３は、凹部２４においては、上記第１の天面２４ａと第２の天面２４ｂに跨って形成されるものである。
【００１６】
ここで、本実施形態において、凹部２４の外径は、上述したボス部１０の外径よりも僅かに大きく設定され、上述したようにプリント基板３をリブ１１上に載置した後、基板保持部材２０を開口５上に載置した際に、開口５から突出したボス部１０の先端部１２をその凹部２４に収容し得るものである。その際、上述したボス部１０の先端部１２をなす第１の端面１２ａと第２の端面１２ｂとの段差と、凹部２４の第１の天面２４ａと第２の天面２４ｂとの段差は略同寸に設定されており、ボス部１０の先端部１２は、第１の端面１２ａが凹部２４の第１の天面２４ａと突合し、第２の端面１２ｂが凹部２４の第２の天面２４ｂと突合し、先端部１２の段差と凹部２４の段差とが嵌合するような方向でのみ、基板保持部材２０の凹部２４に収容されるものである。
【００１７】
本実施形態では、図３（ａ）に示すように、上述した嵌合方向を示すマークとして、基板保持部材２０の表面２２に、略正三角形の形状をなす凸部２１が形成されている。この凸部２１をなす正三角形は、対応する裏面に第２の天面２４ｂが存在する側の半円領域内に、その角２１ｂを通る辺２１ａの垂直二等分線が、第２の天面２４ｂを二等分する半径方向と一致するように配されている。これによって、プリント基板３の取り付け作業において、基板保持部材２０を開口部５上に載置する際に、この凸部２１を、ボス部１０の第２の端面１２ｂの中央付近に合わせて載置することによって、ボス部１０の先端部１２と基板保持部材２０の凹部２４とを、容易に嵌合させることができる。
【００１８】
図４（ａ）に、プリント基板３の基体２への取り付け終了後のボス部１０付近の側面図、図４（ｂ）に図４（ａ）のＡ−Ａ断面図を示す。図４（ｂ）に示すように、基板保持部材２０は、ボス部１０の先端部１２を、第１の端面１２ａを、その凹部２４の第１の天面２４ａと突合させ、第２の端面１２ｂを、その凹部２４の第２の天面２４ｂと突合させ、先端部１２の段差と凹部２４の段差とが嵌合するような態様で収容しているため、基板保持部材２０のねじ軸回りの回転は、上記段差の嵌合によって係止され、ねじ４の螺挿時の、基板保持部材２０の共回りが阻止されるものである。
【００１９】
なお、本実施形態において、リブ１１の高さｄ１は、リブ１１上にプリント基板３を載置したときの、開口５からのボス部１０の突出高さｄ３およびｄ４が、基板保持部材２０の凹部２４の、それぞれ第１の天面までの深さ、および第２の天面までの深さと略々同寸となるように設定されているものである。
【００２０】
これまで、本発明の好ましい実施形態について説明してきたが、本発明は、ここに記載した実施形態に限定されるものではなく、種々の変更及び修正を含み、添付された特許請求の範囲またはその技術的思想から逸脱しないものを含むものである。たとえば、上述した実施形態では、図４（ｂ）に示すプリント基板３の取り付け後の状態において、基板保持部材２０の底部は、プリント基板３に当接しているものとしたが、プリント基板３の保持に相当の遊びが許容される場合には、ボス部１０の突出高さｄ３およびｄ４を、基板保持部材２０の凹部２４の、それぞれ第１の天面までの深さ、および第２の天面までの深さよりもわずかに高くし、プリント基板３と、基板保持部材との間に間隙を設けて、プリント基板３を保持するものであってもよい。この取り付け構造によれば、ねじ４の締め付けによる応力が、プリント基板３には一切かからないため、本発明に係るプリント基板の取り付け構造として好適である。
【００２１】
さらに、本発明に係るプリント基板の取り付け構造におけるボス部および基板保持部材の底部の構造は、本実施形態における半円状の雌雄の段差に限定されるものではない。段差を形成するボス部の端面の形状、およびプリント基板の開口を介して上記ボス部に対向する基板保持部材の底部の形状は、嵌合によってねじ軸回りの回転が係止される限り、任意のものとすることができる。さらに、本発明に係るプリント基板の取り付け構造は、多角柱のボス部と、それと嵌合する多角形の開口部を有する凹部を備えた基板保持部材とを使用するものを含むものである。この場合には、ボス部の端面および対応する基板保持部材の凹部は、上述した実施形態のような段差を備えていなくてもよい。
【００２２】
また、本発明に係るプリント基板の取り付け構造において、基板保持部材の嵌合方向を示すマークは、上述した実施形態における三角形の凸部に限定されるものではなく、任意の形状、構造、色彩などの変化を使用するものであってもよい。
【００２３】
【発明の効果】
以上、説明したように、本発明によれば、ねじによって基板保持部材と共にプリント基板を基体に取り付けるプリント基板の取り付け構造において、ねじの螺挿による基板保持部材の共回りを係止することができるため、取り付け作業の効率が向上すると共に、基板保持部材の下およびその付近に配された配線パターンに損傷を与えることなく、プリント基板を基体に取り付けることが可能となる。
【００２４】
特に、請求項２記載の発明によれば、従来のプリント基板の取り付け構造からの変更を最小限に抑え、簡単な構造によって、本発明に係るプリント基板の取り付け構造を実現できる。
【００２５】
さらに、請求項３記載の発明によれば、基板保持部材に外形等によって視認可能方向性が存在しない場合でも、基体上のボス部との嵌合方向を容易に視認できるため、取り付け作業の効率をさらに向上させることが可能となる。
【図面の簡単な説明】
【図１】本発明に係るプリント基板の取り付け構造の一実施形態を示す、パチンコ機のサイド飾り部材の分解斜視図である。
【図２】本発明に係る基体上のボス部の一実施形態を示す斜視図である。
【図３】本発明に係る基板保持部材の一実施形態を示す斜視図である。
【図４】（ａ）は、本発明に係るプリント基板の取り付け構造の一実施形態を示す側面図であり、（ｂ）は（ａ）におけるＡ−Ａ断面図である。
【図５】プリント基板の取り付け構造における、従来の技術を示す側面図である。
【図６】ねじ込みに伴う共回りの阻止における、従来の技術を示す斜視図である。
【符号の説明】
１    サイド飾り部材
２    基体
３    プリント基板
４    ねじ
５    開口
１０    ボス部
１１    リブ
１２    先端部
１２ａ    第１の端面
１２ｂ    第２の端面
１３    ねじ孔
２０  基板保持部材
２１    凸部
２２    表面
２３    ねじ孔
２４    凹部
２４ａ    第１の天面
２４ｂ    第２の天面
２５    裏面
【図１】
2004214329.tif 000003
【図２】
2004214329.tif 000004
【図３】
2004214329.tif 000005
【図４】
2004214329.tif 000006
【図５】
2004214329.tif 000007
【図６】
2004214329.tif 000008